(57)【要約】【課題】  深さの異なるラックに適合できるとともに物体を直接支持することができるブラケットアセンブリを提供すること。【解決手段】  ブラケットアセンブリは第１のブラケット及び第２のブラケットを含む。第１のブラケットは第１の支持区画、第２の支持区画及び第３の支持区画を含む。第１の支持区画は上部及び下部を有する。第２の支持区画は第１の支持区画の上部から第１の方向に延びる。第３の支持区画は第１の支持区画の下部に隣接する第１の支持区画の一部から第１の方向に延びる。第１〜第３の支持区画は共に支持通路を定義する。第１のブラケットは物体を支持するのに用いられる。第２のブラケットは第１のブラケットの支持通路内に取り付けられる。【選択図】  図２
2019005546.tif 000002
【特許請求の範囲】
【請求項１】
ブラケットアセンブリであって、
第１の端部、第１の支持区画、第２の支持区画及び第３の支持区画を含む第１のブラケットであって、該第１の端部は第１の取り付け部材を備え、該第１の支持区画は上部及び下部を有し、該第２の支持区画は前記第１の支持区画の上部から第１の方向に延び、該第３の支持区画は前記第１の支持区画の下部に隣接する前記第１の支持区画の一部から第１の方向に延び、前記第１の支持区画、前記第２の支持区画及び前記第３の支持区画は共に支持通路を定義する、第１のブラケットと、
前記第１のブラケットの支持通路内に取り付けられるとともに第２の端部、第１の壁、第２の壁及び第３の壁を含む第２のブラケットであって、該第２の端部は第２の取り付け部材を備え、該第１の壁は前記第１のブラケットの第１の支持区画に対応し、該第２の壁は前記第１のブラケットの第２の支持区画に対応し、該第３の壁は前記第１のブラケットの第３の支持区画に対応する、第２のブラケットと、
を含むブラケットアセンブリ。
【請求項２】
前記第１のブラケットの第１の支持区画は前記第１のブラケットの第１の端部から実質的に垂直に延びている、請求項１に記載のブラケットアセンブリ。
【請求項３】
前記第１のブラケットの第２の支持区画は前記第１のブラケットの第１の支持区画の上部から実質的に垂直に延び、前記ブラケットアセンブリは、前記第１のブラケットの第２の支持区画から前記第１のブラケットの支持通路の方に垂直に延びる第１の屈曲区画をさらに含む、請求項１に記載のブラケットアセンブリ。
【請求項４】
前記第１のブラケットの第３の支持区画は、前記第１のブラケットの第１の支持区画の下部に隣接する前記第１のブラケットの第１の支持区画の一部から実質的に垂直に延び、前記ブラケットアセンブリは前記第１のブラケットの第３の支持区画から前記第１のブラケットの支持通路の方に垂直に延びる第２の屈曲区画をさらに含む、請求項１に記載のブラケットアセンブリ。
【請求項５】
前記第１のブラケットは１つの前記第３の支持区画又は複数の前記第３の支持区画を含む、請求項４に記載のブラケットアセンブリ。
【請求項６】
前記ブラケットアセンブリは、前記第１のブラケットの第１の支持区画の下部に隣接する前記第１のブラケットの第１の支持区画の一部から第２の方向に延びる第４の支持区画をさらに含み、該第４の支持区画は前記第１のブラケットの第１の支持区画の下部に隣接する前記第１のブラケットの第１の支持区画の一部から実質的に垂直に延びる、請求項１に記載のブラケットアセンブリ。
【請求項７】
前記第１のブラケットの第１の支持区画は第１の部分を含み、前記第２のブラケットの第１の壁は第２の部分を含み、前記第１のブラケット及び前記第２のブラケットがお互いに対して第１の長さに伸長された場合、前記第１の部分及び前記第２の部分は互いに当接せず、前記第１のブラケット及び前記第２のブラケットがお互いに対して第２の長さに伸長された場合、前記第１の部分及び前記第２の部分は互いに当接する、請求項１に記載のブラケットアセンブリ。
【請求項８】
前記第１の部分は突起及び弾性アームのうちの一方であり、前記第２の部分は突起及び弾性アームのうちの他方である、請求項７に記載のブラケットアセンブリ。
【請求項９】
ラックに取り付けられるように適合されたブラケットアセンブリであって、当該ブラケットアセンブリは、
前記ラックの第１の側の第１の位置に取り付け可能であるとともに、第１の支持区画、第２の支持区画及び第３の支持区画を含む第１のブラケットであって、該第１の支持区画は上部及び下部を有し、該第２の支持区画は前記第１の支持区画の上部から第１の方向に延び、該第３の支持区画は前記第１の支持区画の下部に隣接する前記第１の支持区画の一部から第１の方向に延び、前記第１の支持区画、前記第２の支持区画及び前記第３の支持区画は共に支持通路を定義する、第１のブラケットと、
前記ラックの第１の側の第２の位置に取り付け可能であるとともに第１の壁、第２の壁及び第３の壁を含む第２のブラケットであって、第１の壁は前記第１のブラケットの第１の支持区画に対応し、前記第２の壁は前記第１のブラケットの第２の支持区画に対応し、前記第３の壁は前記第１のブラケットの第３の支持区画に対応する、第２のブラケットと、
を含むブラケットアセンブリ。
【請求項１０】
前記第１のブラケットは第１の端部を含み、該第１の端部は前記ラックの第１の側の第１の位置に前記第１のブラケットを取り付けるための第１の取り付け部材を備え、前記第２のブラケットは第２の端部を含み、該第２の端部は前記ラックの第１の側の第２の位置に前記第２のブラケットを取り付けるための第２の取り付け部材を備える、請求項９に記載のブラケットアセンブリ。
【発明の詳細な説明】
【技術分野】
【０００１】
本発明はラックのためのブラケットアセンブリに関する。より具体的には、本発明は深さの異なるラックに適合できるとともに物体を直接支持できるブラケットアセンブリに関する。
【背景技術】
【０００２】
特許文献１にはブラケットアセンブリが開示されている。係るブラケットアセンブリは、特許文献１の図２に示すように第１の取り付けブラケット２７及び第２の取り付けブラケット４７を含む。第１の取り付けブラケット２７は複数の細長いスロット３３を備え、第２の取り付けブラケット４７は複数の細長いスロット５３を備える。複数のスタッド３１がスライド機構２１に設けられている。複数のスタッド３１は、第１の取り付けブラケット２７と第２の取り付けブラケット４７との間の距離の調節を可能にし、２つの取り付けブラケット２７及び４７がスライド機構２１を通じてシャーシを保持することができるように前記細長いスロットを通って延びて複数のナット２９に接続されている。
【先行技術文献】
【特許文献】
【０００３】
【特許文献１】米国特許第６２３０９０３号明細書
【特許文献２】米国特許第７３５０８８４号明細書
【発明の概要】
【発明が解決しようとする課題】
【０００４】
しかしながら、上記のブラケットアセンブリはシャーシを直接保持することができない。即ち、スライド機構なしでは上記のブラケットアセンブリはシャーシを保持できない。そのため、予算が限られている場合又はブラケットアセンブリを通じて取り付けられるサーバーは取り付けの仕様の点で特殊な要件がある場合にブラケットアセンブリの利用可能性が制限される。
【０００５】
本発明は、ラックのためのブラケットアセンブリであって、深さの異なるラックに適合できるとともに物体（例えばシャーシ）を直接支持することができるブラケットアセンブリを提供すること目的とする。
【課題を解決するための手段】
【０００６】
本発明の一態様によれば、ブラケットアセンブリは第１のブラケット及び第２のブラケットを含む。第１のブラケットは第１の支持区画、第２の支持区画及び第３の支持区画を含む。第１の支持区画は上部及び下部を有する。第２の支持区画は第１の支持区画の上部から第１の方向に延びる。第３の支持区画は第１の支持区画の下部に隣接する第１の支持区画の一部から第１の方向に延びる。記第１の支持区画、第２の支持区画及び第３の支持区画は共に支持通路を定義する。
【０００７】
第２のブラケットは第１の壁、第２の壁及び第３の壁を含む。第１の壁、第２の壁及び第３の壁は第１のブラケットの第１、第２及び第３の支持区画にそれぞれ対応する。
【０００８】
第１のブラケットは第１の端部を含み、第１の端部は第１の取り付け部材を備えることが好ましい。
【０００９】
第２のブラケットは第１のブラケットの支持通路内に取り付けられるとともに第２の端部を含み、第２の端部は第２の取り付け部材を備えることが好ましい。
【００１０】
第１のブラケットの第１の支持区画は第１のブラケットの第１の端部から実質的に垂直に延びていることが好ましい。
【００１１】
第１のブラケットの第２の支持区画は第１のブラケットの第１の支持区画の上部から実質的に垂直に延びていることが好ましい。
【００１２】
ブラケットアセンブリは、第１のブラケットの第２の支持区画から第１のブラケットの支持通路の方に垂直に延びる第１の屈曲区画をさらに含むことが好ましい。
【００１３】
第１のブラケットの第３の支持区画は、第１の支持区画の下部に隣接する第１のブラケットの第１の支持区画の一部から実質的に垂直に延びていることが好ましい。
【００１４】
ブラケットアセンブリは第１のブラケットの第３の支持区画から第１のブラケットの支持通路の方に垂直に延びる第２の屈曲区画をさらに含むことが好ましい。
【００１５】
第１のブラケットは１つの第３の支持区画又は複数の第３の支持区画を含むことが好ましい。
【００１６】
ブラケットアセンブリは、第１の支持区画の下部に隣接する第１のブラケットの第１の支持区画の一部から第２の方向に延びる第４の支持区画をさらに含むことが好ましい。
【００１７】
第４の支持区画は第１の支持区画の下部に隣接する第１のブラケットの第１の支持区画の一部から実質的に垂直に延びることが好ましい。
【００１８】
第１のブラケットの第１の支持区画は第１の部分を含み、第２のブラケットの第１の壁は第２の部分を含むことが好ましい。第１のブラケット及び第２のブラケットがお互いに対して第１の長さに伸長された場合、第１の部分及び第２の部分は互いに当接せず、第１のブラケット及び第２のブラケットがお互いに対して第２の長さに伸長された場合、第１の部分及び前記第２の部分は互いに当接する。
【００１９】
第１の部分は突起及び弾性アームのうちの一方であり、第２の部分は突起及び弾性アームのうちの他方であることが好ましい。
【００２０】
ブラケットアセンブリはラックに取り付けられるように適合され、第１のブラケットはラックの第１の側の第１の位置に取り付け可能であり、第２のブラケットはラックの第１の側の第２の位置に取り付け可能であることが好ましい。
【図面の簡単な説明】
【００２１】
【図１】図１は、本発明の一実施形態に係る一対のブラケットアセンブリを通じてラックに取り付けられた物体を示す斜視図である。
【図２】図２は、本発明の一実施形態に係るブラケットアセンブリの構造を示す斜視図である。
【図３】図３は、本発明の一実施形態に係るブラケットアセンブリの分解図である。
【図４】図４は、物体を支持する本発明の一実施形態に係るブラケットアセンブリを示す断面図である。
【図５】図５は、第１の長さに伸長され、対応するラックに取り付けられた本発明の一実施形態に係るブラケットアセンブリを示す。
【図６】図６は、図５の○で囲った領域Ａの拡大図である。
【図７】図７は、図５の○で囲った領域Ｂの拡大図である。
【図８】図８は、第２の長さに伸長され、対応するラックに取り付けられた本発明の一実施形態に係るブラケットアセンブリを示す。
【図９】図９は、図８の○で囲った領域Ａの拡大図である。
【発明を実施するための形態】
【００２２】
図１を参照して、物体２０は、本発明の一実施形態における一対のブラケットアセンブリ２２及び２４を通じてラック２６に取り付けられている。より具体的には、物体２０は電子機器のシャーシであり得る。ブラケットアセンブリ２２は第１のブラケット２８及び第２のブラケット３０を含む。第１のブラケット２８はラック２６の第１の側Ｓ１の第１の位置Ｐ１に取り付けられている。第２のブラケット３０はラック２６の第１の側Ｓ１の第２の位置Ｐ２に取り付けられている。他方のブラケットアセンブリ２４は同様な形でラック２６の第２の側Ｓ２に取り付けられている。
【００２３】
図２〜図４はブラケットアセンブリ２２の構成要素がお互いに対してどのように配置されているかを示す。ブラケットアセンブリ２２の第１のブラケット２８は第１の端部３２、第１の支持区画３４、第２の支持区画３６及び第３の支持区画３８を含む。第１の端部３２は、ラック２６の第１の側Ｓ１の第1の位置Ｐ１に第１のブラケット２８を取り付けるための少なくとも１つの第１の取り付け部材４０を備える。図４に示すように、第１の支持区画３４は上部３５ａ及び下部３５ｂを有し、第２の支持区画３６は第１の支持区画３４の上部３５ａから第１の方向Ｄ１に延び、第３の支持区画３８は第１の支持区画３４の下部３５ｂに隣接する部分から第１の方向Ｄ１に延びている。第１の支持区画３４、第２の支持区画３６及び第３の支持区画３８は共に支持通路４２を定義する。
【００２４】
第２のブラケット３０は第１のブラケット２８の支持通路４２内に取り付けられている。第２のブラケット３０は第２の端部４４、第１の壁４６、第２の壁４８及び第３の壁５０を含む。第２の端部４４はラック２６の第１の側Ｓ１の第２の位置Ｐ２に第２のブラケット３０を取り付けるための少なくとも１つの第２の取り付け部材５２を備える。図４に示すように、第１の壁４６は第１のブラケット２８の第１の支持区画３４に対応し、第２の壁４８は第１のブラケット２８の第２の支持区画３６に対応し、第３の壁５０は第１のブラケット２８の第３の支持区画３８に対応する。
【００２５】
図３に示す好ましい実施形態では、第１のブラケット２８の第１の支持区画３４は第１のブラケット２８の第１の端部３２から実質的に垂直に延びている。
【００２６】
図４に示す好ましい実施形態では、第１のブラケット２８の第２の支持区画３６は第１の支持区画３４の上部３５ａから実質的に垂直に延びている。
【００２７】
図４に示す好ましい実施形態では、第１の屈曲区画５４が追加で設けられている。第１の屈曲区画５４は第１のブラケット２８の第２の支持区画３６から支持通路４２の方に垂直に延びている。
【００２８】
図４に示す好ましい実施形態では、第１のブラケット２８の第３の支持区画３８は第１の支持区画３４の下部３５ｂに隣接する部分から実質的に垂直に延びている。
【００２９】
図４に示す好ましい実施形態では、第２の屈曲区画５６が追加で設けられている。第２の屈曲区画５６は第１のブラケット２８の第３の支持区画３８から支持通路４２の方に垂直に延びている。
【００３０】
図３に示す好ましい実施形態では、第１のブラケット２８は複数の別個の第３の支持区画３８を含む。しかしながら、実際には、１つの連続した第３の支持部分３８でもよい。本発明はこの点で限定されない。
【００３１】
図４に示す好ましい実施形態では、第４の支持区画５８が追加で設けられている。第４の支持区画５８は第１のブラケット２８の第１の支持区画３４の下部３５ｂに隣接する部分から第２の方向Ｄ２に延びている。
【００３２】
図４に示す好ましい実施形態では、第１のブラケット２８の第４の支持区画５８は第１の支持区画３４の下部３５ｂに隣接する部分から実質的に垂直に延び、第４の支持区画５８は、物体２０の側面が第１のブラケット２８の第１の支持区画３４に当接した状態で物体２０の底部を直接支持するのに用いることができる。
【００３３】
図３に示す好ましい実施形態では、第１のブラケット２８の第１の支持区画３４は第１の部分６０を含み、第２のブラケット３０の第１の壁４６は第２の部分６２を含む。より具体的には、第１の部分６０は突起であり、第２の部分６２は弾性アームである。図示しない実施形態では、第１の部分６０が代わりに弾性アームであり、第２の部分６２が突起である。即ち、第１の部分６０は突起及び弾性アームのうちの一方であり、第２の部分６２は突起及び弾性アームのうちの他方である。本発明はこの点で限定されない。第１のブラケット２８及び第２のブラケット３０が接続されると、弾性アームは突起を越えて弾性的に移動する。
【００３４】
第１のブラケット２８及び第２のブラケット３０が図５〜図７に示すようにお互いに対して第１の長さＬ１に伸長されると、第１の部分６０及び第２の部分６２は互いに当接しない。第１のブラケット２８及び第２のブラケット３０が図８及び図９に示すようにお互いに対して第２の長さＬ２に伸長されると、安全性の観点から、第１の部分６０及び第２の部分６２は互いに当接して第１のブラケット２８及び第２のブラケット３０の相対的な変位（即ち、第１のブラケット２８と第２のブラケット３０との間の距離の調節）を制限する。
【００３５】
上記によれば、上記の実施形態におけるブラケットアセンブリは下記の特徴を含むことが好ましい。
【００３６】
１）各ブラケットアセンブリは深さの異なるラックに適合するために長さが調節可能である。
【００３７】
２）ブラケットアセンブリはラックに取り付けることができ、物体を直接支持することができる。
【００３８】
上述した好ましい実施形態を参照して本発明を開示してきたが、これらの実施形態は本発明の範囲を制限することを意図したものではない。本願が求める特許保護の範囲は添付の特許請求の範囲によって定義されている。
【符号の説明】
【００３９】
２０  物体
２４  ブラケットアセンブリ
２６  ラック
２８  第１のブラケット
３０  第２のブラケット
３２  第１の端部
３４  第１の支持区画
３６  第２の支持区画
３８  第３の支持区画
４０  第１の取り付け部材
４２  支持通路
４４  第２の端部
４６  第１の壁
４８  第２の壁
５０  第３の壁
５２  第２の取り付け部材
５４  第１の屈曲区画
５６  第２の屈曲区画
５８  第４の支持区画
６０  第１の部分
６２  第２の部分
【図１】
2019005546.tif 000003
【図２】
2019005546.tif 000004
【図３】
2019005546.tif 000005
【図４】
2019005546.tif 000006
【図５】
2019005546.tif 000007
【図６】
2019005546.tif 000008
【図７】
2019005546.tif 000009
【図８】
2019005546.tif 000010
【図９】
2019005546.tif 000011